(57)【要約】【課題】ワイヤハーネスの寸法公差を吸収して、ワイヤハーネスを確実にトリムボード裏面に固定保持することができるようにした自動車のドア用トリムボードを提供する。【解決手段】自動車のドアパネルの車室側表面に取り付けられ、ドアパネルの車室側表面に対向する裏面にドアパネル内に配置した各種機器に対する電気的接続を行なう複数の配線から成るワイヤハーネス２０を備えた自動車のドア用トリムボード１０であって、樹脂材料から形成され裏面に一体成形された一対のリブ１２から成る溝部１１を備え、溝部１１が、長手方向に分散した複数箇所で内部に収容したワイヤハーネス２０を係止する抜け止め部材１３を有していて、ワイヤハーネス２０を溝部１１内に沿って引き回し、抜け止め部材１３により溝部１１内に係止する。【選択図】図１
2010132242.tif 000002
【特許請求の範囲】
【請求項１】
自動車のドアインナパネルの車室側表面に取り付けられ、上記ドアインナパネルの車室側表面に対向する裏面に上記ドアインナパネル内に配置された機器に対する電気的接続を行なう複数の配線から成るワイヤハーネスを備えた自動車のドア用トリムボードであって、
樹脂材料から形成されていて、上記裏面に一体成形された一対のリブから成る溝部を備えており、
上記溝部が、長手方向に分散した複数箇所で、内部に収容されたワイヤハーネスを係止する抜け止め部材を有していて、
上記ワイヤハーネスが、上記溝部内に沿って引き回され、上記抜け止め部材により上記溝部内に係止されることを特徴とする、自動車のドア用トリムボード。
【請求項２】
前記抜け止め部材が、前記溝部を画成する一方のリブの先端から薄肉のヒンジ部を介して他方のリブに向かって延びるように一体成形され、その先端が他方のリブの外側に係合可能な係合部を有していることを特徴とする、請求項１に記載の自動車のドア用トリムボード。
【請求項３】
前記溝部が、長手方向に分散した複数箇所でそれぞれ複数本の幅方向に並んだ突出部を備えており、前記ワイヤハーネスは、これらの突出部の間または突出部と溝部の側壁との間の間隙内に挿入されることにより前記溝部内で幅方向の移動が防止されることを特徴とする、請求項１又は２に記載の自動車のドア用トリムボード。
【請求項４】
前記溝部が、前記トリムボードの裏面に縦方向及び横方向に延びるように縦横にそれぞれ複数本配置されていて、縦方向の溝部と横方向の溝部の交差部分で、溝部の内側のワイヤハーネスを収容すべき空間が互いに連通していることを特徴とする、請求項１〜３の何れかに記載の自動車のドア用トリムボード。
【請求項５】
前記請求項１〜４の何れかによる自動車のドア用トリムボードが、自動車のバックドアを構成するドアインナパネルの車室側表面に取り付けられていることを特徴とする、自動車のバックドア。
【発明の詳細な説明】
【技術分野】
【０００１】
本発明は、自動車のドアインナパネルの車室側表面に取り付けられ、裏面にドアインナパネル内に配置された各種機器に対する電気的接続を行なうワイヤハーネスが引き回されて取り付けられる自動車のドア用トリムボードと、このトリムボードを備えた自動車のバックドアに関する。
【背景技術】
【０００２】
従来、図５に示すような自動車のバックドア１は、自動車の車体後部に設けられた開口部（図示せず）に対して、ヒンジ部（図示せず）によって外側上方向に開放し得るように揺動可能に支持されており、鋼板からプレス成形されたインナパネル１ａとアウタパネル１ｂとから構成されている。
【０００３】
この種のバックドア１には、必要に応じて、ランセンスランプ，テールランプ等の灯具や、リヤワイパー，リヤウィンドウデフォッガー，アンテナ，バックカメラ等の各種電装品が組み込まれており、これらの灯具や電装品、即ち各種機器に給電し、あるいは信号の入出力のための電気的接続を行なうために、車体側に電気的に接続した複数の配線から成る所謂ワイヤハーネス７がバックドア１に配策されている。具体的には、図５において、バックドア１は、ライセンスランプ用コネクタ２，リヤウィンドウデフォッガー用コネクタ３，バックドアオープンスイッチ用コネクタ４，タッチセンサー用コネクタ５，バックドアクローザー用コネクタ６等がインナパネル１ａ上に固定されている。これらのコネクタ２〜６に対する電気的接続を行なうために、ワイヤハーネス７がインナパネル１ａの車室側内面に沿って引き回されている。
【０００４】
このワイヤハーネス７は、図６に示すように、全体がインナパネル１ａに対して固定されるように、適宜の間隔でクランプ８によってインナパネル１ａに取り付けられている。各クランプ８は、図７に示すように、インナパネル１ａの取付位置に設けられた取付孔１ｃの周辺に当接する当接部８ａと、この取付孔１ｃに挿通され、半径方向外側に拡張して取付孔１ｃの周縁に裏側から係合する係合部８ｂと、当接部８ａからインナパネル１ａの表面に沿って反対側に延びる張り出し部８ｃと、を備えている。
【０００５】
この構成のバックドア１によれば、これらのクランプ８の張り出し部８ｃの上面をワイヤハーネスの所定箇所に当接させて、ワイヤハーネス７及び張り出し部８ｃに、絶縁テープ等のテープ材料９が巻回される。これにより、ワイヤハーネス７の所定箇所に対して、それぞれクランプ８が固定される。
この状態から、各クランプ８の係合部８ｂがバックドア１のインナパネル１ａの取付孔１ｃに挿通されることで、クランプ８そしてワイヤハーネスがバックドア１のインナパネル１ａの所定位置に取り付けられる。
【０００６】
これに対して、特許文献１には、自動車のドアハーネス及びこのドアハーネスに接続するドア用電装品を予めパネルに固定して取り付けており、ドアフレームの室内側開口を閉鎖するようにドアフレームに取り付けるドアモジュールパネルであって、上記パネルは樹脂成形品から成り、該パネル面に配索するワイヤハーネスの位置決め保持部を一体成形で突設していることを特徴とする、ドアモジュールパネルが開示されている。
【０００７】
特許文献２には、自動車のボディーに揺動可能に取り付けられるアウタパネルと、アウタパネルの車内側に取り付けられるインナパネルと、インナパネルに取り付けられドアに装着される部品を配線するドア用ハーネスを有する自動車用ドアにおいて、インナパネルにはドア用ハーネスを嵌め込み固定する溝が設けられ、インナパネルにドア装着部品及びドア用ハーネスを組み付けて一体化されたドアモジュールを構成し、さらにドア用ハーネスがインナパネルと一体化されたグロメットに挿入され、ボディー側ハーネスと接続するコネクタがグロメットの外側に配置されることを特徴とする自動車用ドアが開示されている。
【０００８】
さらに、特許文献３には、ワイヤハーネスを被固定部材（インパネ，トリムボード等）の面上に付設するためのワイヤハーネスの固定構造であって、係合歯を側面に備えた係止用突起と、係止用突起が挿通されると共に係合歯を係止可能な係止用孔を先端部に備えた可撓片とが、ワイヤハーネスが付設される被固定部材の面上に突設されていることを特徴とする、ワイヤハーネスの固定構造が開示されている。
【特許文献１】特開２００２−２８０１２６号公報
【特許文献２】特開２０００−０１６１９４号公報
【特許文献３】特開２０００−００４５２４号公報
【発明の開示】
【発明が解決しようとする課題】
【０００９】
前述したバックドア１においては、ワイヤハーネスに対するクランプ８の固定は、クランプ８の所定箇所に対して、クランプ８の張り出し部８ｃがテープ材料９の巻回によって固定される。これにより、例えば図８（Ａ）に示すように、ワイヤハーネス７の先端に接続されるコネクタ７ａから所定距離ｄ１の位置にクランプ８が固定される。
【００１０】
しかしながら、このようなテープ材料９の巻回によるクランプ８のワイヤハーネスに対する固定においては、テープ材料９の巻回作業が必要であり、組立作業が複雑になると共に、クランプ８をワイヤハーネス７の所定箇所に正確に位置決めして固定することは難しく、取付位置の寸法公差が生ずる。
【００１１】
このため、例えば図８（Ｂ）に示すように、クランプ８の取付位置の寸法公差によって、前述したコネクタ７ａからの距離ｄ２が前述した所定距離ｄ１よりも長くなることがある。この場合、クランプ８をインナパネル１ａの取付孔１ｃに装着したとき、クランプ８の取付位置とコネクタ７ａの間に位置するワイヤハーネス７に弛みが生ずることになる。
【００１２】
このようなワイヤハーネス７の弛みが生ずると、図９に示すように、ワイヤハーネス７がインナパネル１ａにて所望の経路を通過せず、屈曲部分では、図９にて符号７Ａで示すように外側に大きくはみだしたり、あるいは図９にて符号７Ｂで示すように内側に蛇行したりすることになる。また、ワイヤハーネス７が所定寸法より短いときには、図９にて符号７Ｃで示すように、屈曲部分で内側に入り込むことがある。
このため、インナパネル１ａにトリムボードを装着する際に、トリムボードとインナパネル１ａとの間にワイヤハーネス７が挟み込まれたり、あるいはワイヤハーネス７の弛み部分がバックドア１のインナパネル１ａの表面から浮き上がってしまったり、ワイヤハーネスが周囲の他の部品等と干渉することがある。
【００１３】
従って、このような挟み込みや干渉が生じても、自動車の走行時の振動等によるワイヤハーネス７の亀裂，破損等を回避するために、干渉する可能性の高い部位に対して保護材を配置したり、ワイヤハーネス７の引回し経路を規制するための補材を組み込む必要がある。このため、部品点数が多くなると共に、組み付け作業が複雑となり、部品コスト及び組立コストが高くなってしまう。また、自動車解体時において、リサイクルのためにワイヤハーネスをバックドア１から分離する作業が困難になってしまう。
【００１４】
これに対して、特許文献１によるドアモジュールパネルにおいては、ドアインナパネルの一部を別体のパネルとして構成して、このパネルに対してドア用電装品を固定すると共に、このドア用電装品に接続するワイヤハーネスをこのパネルに一体成形した位置決め保持部により固定している。これにより、ワイヤハーネスをクリップによりパネルに固定しなくてもよいので、クリップが不要になる。しかしながら、別体に構成したパネルが必要となり、部品点数が多くなって組立工数も増大すると共に、ワイヤハーネスが弛みを吸収するようには構成されていない。
【００１５】
特許文献２による自動車用ドアにおいては、樹脂製のインナパネルに設けられた溝内にワイヤハーネスが嵌め込むことによりインナパネルに対して固定される。しかしながら、ワイヤハーネスに弛みがあると、ワイヤハーネスを確実に溝内に嵌め込むことができず、ワイヤハーネスの一部が溝から突出してしまい、他の部品等と干渉することがある。
【００１６】
さらに、特許文献３によるワイヤハーネス固定構造においては、樹脂製のドアトリム等の被固定部材に一体成形された係止用突起と可撓片により、ワイヤハーネス被固定部材に固定するものである。しかしながら、ワイヤハーネスをドアパネルに対して固定するようには構成されておらず、またワイヤハーネスの弛みを吸収するようには構成されていない。
【００１７】
本発明は、以上の点に鑑み、ワイヤハーネスの寸法公差を吸収して、ワイヤハーネスを確実にトリムボード裏面に固定保持することができるようにした自動車のドア用トリムボード及び自動車のバックドアを提供することを目的としている。
【課題を解決するための手段】
【００１８】
上記目的を達成するため、本発明の第一の構成は、自動車のドアインナパネルの車室側表面に取り付けられ、ドアインナパネルの車室側表面に対向する裏面にドアインナパネル内に配置された機器に対する電気的接続を行なう複数の配線から成るワイヤハーネスを備えた自動車のドア用トリムボードであって、樹脂材料から形成されていて裏面に一体成形された一対のリブから成る溝部を備えており、溝部が、長手方向に分散した複数箇所で内部に収容されたワイヤハーネスを係止する抜け止め部材を有していて、ワイヤハーネスが溝部内に沿って引き回され抜け止め部材により溝部内に係止されることを特徴としている。
【００１９】
本発明による自動車のバックドア構造は、好ましくは、抜け止め部材が、溝部を画成する一方のリブの先端から薄肉のヒンジ部を介して他方のリブに向かって延びるように一体成形され、その先端が他方のリブの外側に係合可能な係合部を有している。
【００２０】
本発明による自動車のバックドア構造は、好ましくは、溝部が、長手方向に分散した複数箇所でそれぞれ複数本の幅方向に並んだ突出部を備えており、ワイヤハーネスが、これらの突出部の間または突出部と溝部の側壁との間の間隙内に選択的に挿入されることにより溝部内で幅方向の移動が防止される。
【００２１】
本発明による自動車のバックドア構造は、好ましくは、溝部がトリムボードの裏面に縦方向及び横方向に延びるように縦横にそれぞれ複数本配置されていて、縦方向の溝部と横方向の溝部の交差部分で、溝部の内側のワイヤハーネスを収容すべき空間が互いに連通している。
【００２２】
本発明による自動車のバックドア構造は、好ましくは、抜け止め部材が溝部の互いに隣接する交差部分の間の領域に配置されている。
【００２３】
また上記目的は、発明の第二の構成では、前述した自動車のドア用トリムボードが、自動車のバックドアを構成するドアパネルの車室側表面に取り付けられていることを特徴とする自動車のバックドアにより達成される。
【発明の効果】
【００２４】
上記第一の構成によれば、自動車のドア用トリムボードの裏面に取り付けられるべきワイヤハーネスが、トリムボードの裏面に一体成形された一対のリブから成る溝部内に収容され、その長手方向に分散した複数箇所でそれぞれ抜け止め部材によって係止される。これにより、ワイヤハーネスはトリムボードの溝部内に確実に収容される。
【００２５】
溝部が長手方向に分散した複数箇所でそれぞれ複数本の幅方向に並んだ突出部を備えていることで、ワイヤハーネスが所定寸法に対する寸法公差に基づいて例えば余長を有し、この余長による弛みがあったとしてもワイヤハーネスが複数本の突出部の間または突出部と溝部の側壁との間の複数個の間隙のうち、適宜に選択された間隙内に挿入される。
【００２６】
これにより、ワイヤハーネスの溝部内で幅方向の移動が防止されると共に、溝部内で長手方向に沿って蛇行することにより上記弛みが吸収され、確実に溝部内に収容される。従って、ワイヤハーネスに弛みがあったしても、ワイヤハーネスの一部が溝部から浮き上がって、他の部品等と干渉するようなことはない。このため、ワイヤハーネスが他の部品との干渉により、自動車の走行時の振動やトリムボードの装着時の挟み込みによって、一部が破損したり裂断したりしてしまうようなことがない。
【００２７】
また、上記第二の構成によれば、自動車のバックドアを構成するドアパネルの車室側表面に取り付けられた自動車のドア用トリムボードが、その裏面に溝部を備えているので、ワイヤハーネスがトリムボードの裏面に一体成形された一対のリブから成る溝部内に収容され、その長手方向に分散した複数箇所でそれぞれ抜け止め部材によって係止される。従って、ワイヤハーネスはトリムボードの溝部内に確実に収容される。
【発明を実施するための最良の形態】
【００２８】
以下、図面に示した実施形態に基づいて本発明を詳細に説明する。
図１〜図３は、本発明を適用した自動車のドア用トリムボードの一実施形態の構成を示している。
図１において、トリムボード１０は、自動車の車体後部に設けられた開口部（図示せず）に対してヒンジ部によって外側上方向に開放し得るように揺動可能に支持されたバックドアのドアパネルの車室側表面に取り付けられる。ここで、バックドアのドアパネルは、それぞれ鋼板からプレス成形されたインナパネルとアウタパネルから成り、これらのパネルが内部に中空領域が画成されるように重ね合わせることでバックドアが構成されており、その中空の内部に各種機器が配置され、またアウタパネルに必要に応じて、ライセンスランプ，テールランプ等の灯具や、リヤワイパー，リヤウィンドウデフォッガー，アンテナ，バックカメラ等の各種電装品が組み込まれている。
【００２９】
トリムボード１０は樹脂材料から形成されており、図示しないクリップやネジ等の取付部材を利用して、ドアパネルのインナパネル車室側表面に対して固定保持される。
【００３０】
さらに、トリムボード１０は、図１に示すように、装着すべきインナパネルの車室側表面に対向する裏面に溝部１１を備えている。この溝部１１は、図示の場合、縦方向及び横方向にそれぞれ二本並んで配置されており、互いに例えばＴ字状または十字状に交差している。
【００３１】
溝部１１は、トリムボード１０の裏面に一体成形された一対のリブ１２により形成されている。一対のリブ１２は互いにほぼ等間隔に配置されており、その間にワイヤハーネス２０を収容すべき空間を画成している。そして、縦方向及び横方向の溝部１１は、交差部分１１ａにおいてリブ１２が省略されることによりこの空間が互いに連通するように形成されている。ワイヤハーネス２０は、縦方向及び横方向に延びる溝部１１内に沿って交差部分１１ａで屈曲しまたは直進することにより自由に引き回され得る。
【００３２】
ワイヤハーネス２０は、図２に示すように、ドアパネル内に配置された各種機器に対する電気的接続を行なう複数の配線２０ａから構成されており、全体がテープ２１により束ねられている。ワイヤハーネス２０は、途中で分岐することにより複数個、図１の場合、四個の端部を備えており、各端部にそれぞれコネクタ２２が接続されている。
【００３３】
溝部１１は、長手方向に分散した複数箇所で、例えば図１において上述した交差部分１１ａの間の領域にそれぞれ抜け止め部材１３を有している。
この抜け止め部材１３は、図２に示すように、溝部１１を画成する一方のリブ１２ａと一体成形されており、このリブ１２ａの先端１２ｂから薄肉のヒンジ部１２ｃを介して他方のリブ１２ｄを越えて延びており、その先端から下方に突出する係合部１３ａを有している。この係合部１３ａは、下端に溝部１１と反対側に突出する係合爪１３ｂを備えている。
ここで、抜け止め部材１３は、トリムボード１０と同じ樹脂材料から構成されていることで弾性を有しており、係合部１３ａ及び係合爪１３ｂも弾性を有する。
他方のリブ１２ｄから一方のリブ１２ａとは反対側へ所定距離の位置には、トリムボード１０の裏面から立ち上がった係合部１４が一体に形成されている。この係合部１４は、溝部１１側に突出する係合爪１４ａを有している。
抜け止め部材１３が溝部１１を覆って、その係合部１３ａがリブ１２ｄと係合部１４との間に押下されたとき、その係合爪１３ｂが弾性に抗して溝部１１側に変形して、係合部１４の係合爪１４ａを通過した後、弾性に基づいて溝部１１とは反対側に復元して係合爪１４ａと係合する。これにより、抜け止め部材１３は溝部１１を閉鎖した状態で係止される。
【００３４】
さらに、本実施形態の溝部１１は、長手方向に分散した複数箇所で、例えば図１において上述した交差部分１１ａに隣接した領域にそれぞれ幅方向に並んだ複数本の突出部１５を有している。
突出部１５は、自動車のドア用トリムボード１０と一体成形されていて、図３及び図４に示すように溝部１１の底部から互いにほぼ平行に立ち上がっている。そして、各突出部１５は、隣接する突出部１５又は溝部１１の側壁との間にワイヤハーネス２０の外径とほぼ同じ間隔を有している。なお、突出部１５は、図示の場合、細長い円柱状に形成されているが、他の任意の形状であってもよい。
これらの突出部１５によってワイヤハーネス２０は、溝部１１内において突出部１５同士の間または突出部１５と溝部１１の側壁との間に画成される複数個の間隙のうち選択された間隙、図３では最も上側或いは図４では最も左側の突出部１５と溝部１１の側壁との間の間隙の中に挿入されることで溝部１１内で幅方向に関して移動しないように位置決めされ、保持される。
【００３５】
本発明の実施形態による自動車のドア用トリムボード１０は以上のように構成されており、自動車のバックドア（図示せず）のインナパネルに対して装着される前に、まずトリムボード１０の裏面に設けられた溝部１１内にワイヤハーネス２０が収容される。その際、ワイヤハーネス２０の寸法誤差によりワイヤハーネス２０が所定寸法に対して余長を有する場合には、ワイヤハーネス２０は、溝部１１内に設けられた突出部１５の領域で突出部１５同士の間又は突出部１５と溝部１１の側壁との間の間隙のうち、選択された任意の間隙内に挿入されることで溝部内で蛇行するように配置される。
【００３６】
これにより、ワイヤハーネス２０は溝部１１内で適宜に蛇行することで、前述した余長が吸収され溝部１１内に確実に収容される。その後、溝部１１に設けられた各抜け止め部材１３の係合爪１２ｅが係合部１４の係合爪１４ａと係合することで、各抜け止め部材１３が溝部１１を閉じた状態で係止される。これにより、ワイヤハーネス２０の溝部１１内からの脱落が防止される。
【００３７】
このようにして、ワイヤハーネス２０が溝部１１内に収容された自動車のドア用トリムボード１０は、自動車のバックドアを構成するインナパネルに対向して配置され、ワイヤハーネス２０の各コネクタがインナパネルに取り付けられた各種機器のコネクタに接続される。
その後、自動車のドア用トリムボード１０は、適宜の手段、例えばクリップや螺着等によって、自動車のバックドアを構成するインナパネルに取り付けられる。
【００３８】
この場合、ワイヤハーネス２０の長さ、即ち分岐部分から端部そしてコネクタ２２までの長さが所定長さに対して寸法誤差により余長を有していても、この余長は、ワイヤハーネス２０の突出部１５による溝部１１内での蛇行によって吸収される。
従って、ワイヤハーネス２０が弛みにより溝部１１内から浮き上がるようなことがないので、自動車のドア用トリムボード１０の裏面と自動車のバックドアを構成するインナパネルとの間で他の部品等と干渉しない。これにより、自動車の走行時等の振動あるいは自動車のドア用トリムボード１０の自動車のバックドアへの装着時のワイヤハーネス２０の挟み込み等によって、ワイヤハーネス２０に傷がついたりワイヤハーネス２０が裂断したりしてしまうことがない。
【００３９】
ここで、ワイヤハーネス２０を収容し保持する部品、即ち溝部１１を構成するリブ１２，抜け止め部材１３，突出部１５は、何れも自動車のドア用トリムボード１０に対して一体成形されているので、部品点数が少なくて済み、部品コスト及び組立コストが低減され、自動車のドア用トリムボード１０に対してワイヤハーネス２０を容易に短時間で組み付けることができる。
【００４０】
本発明はその趣旨を逸脱しない範囲において様々な形態で実施することができる。例えば、ドア用トリムボード１０は自動車のバックドアに装着する場合に限らず、他のドア、運転席及び助手席の所謂フロントドア或いは後席のためのスライドドアを含むドア等にも適用することが可能である。
【図面の簡単な説明】
【００４１】
【図１】本発明による自動車のドア用トリムボードの一実施形態の構成を示す概略正面図である。
【図２】図１の自動車のドア用トリムボードにおける抜け止め部を示すＡ−Ａ線に沿った部分拡大断面図である。
【図３】図１の自動車のドア用トリムボードの溝部を示す部分拡大正面図である。
【図４】図３の溝部における突出部を示すＢ−Ｂ線に沿った部分拡大断面図である。
【図５】従来の自動車のバックドアの一例の構成の要部を示す概略正面図である。
【図６】図５のバックドアにおけるワイヤハーネス取付構造を示す部分拡大斜視図である。
【図７】図５のワイヤハーネスの取付部を示すＣ−Ｃ線に沿った断面図である。
【図８】図６のワイヤハーネスの取付部分における寸法交差を示す部分拡大斜視図である。
【図９】図８のワイヤハーネスの寸法交差による取付状態における蛇行を示す概略図である。
【符号の説明】
【００４２】
１０    トリムボード
１１    溝部
１１ａ  交差部分
１２，１２ａ，１２ｄ  リブ
１２ｂ  先端
１２ｃ  ヒンジ部
１２ｅ  係合爪
１３    抜け止め部材
１３ａ，１４  係合部
１３ｂ，１４ａ  係合爪
１５    突出部
２０    ワイヤハーネス
２０ａ  配線
２１    テープ
２２    コネクタ
【図１】
2010132242.tif 000003
【図２】
2010132242.tif 000004
【図３】
2010132242.tif 000005
【図４】
2010132242.tif 000006
【図５】
2010132242.tif 000007
【図６】
2010132242.tif 000008
【図７】
2010132242.tif 000009
【図８】
2010132242.tif 000010
【図９】
2010132242.tif 000011